(57)【要約】      （修正有）【課題】平行に並ぶ通路間で車両の走行通路を切り換えることができる玩具用通路切換装置を提供する。【解決手段】基台に平行に配置した通路を有する基台４と、切換通路７を有し、切換通路を通路間に移動させるスライドテーブル５とを備えた玩具用通路切換装置であって、切換通路で車両の進行を阻止するストッパ機構と、ストッパ機構によって進行が阻止された車両の駆動輪に当接する従動ローラと、従動ローラによって取り入れた車両の動力を動力源にしてスライドテーブルを移動させるスライドテーブル移動機構５０と、ストッパ機構を作動させる操作機構６０とをスライドテーブル５に備える。これにより、バリエーション及び変化に富んだ玩具用通路切換装置を実現できる。【選択図】図３
0003184412.tif 000002
【実用新案登録請求の範囲】
【請求項１】
平行に配置した２つの通路を有する基台と、切換通路を有し、前記切換通路を前記２つの通路間で移動させて前記２つの通路のいずれかに選択的に連結させるスライドテーブルとを備え、自走式玩具の駆動輪の動力を動力源とする玩具用通路切換装置であって、操作機構と、前記切換通路が前記２つの通路のいずれかに選択的に連結されている状態で前記操作機構の働きによって動作して前記切換通路上で前記自走式玩具の進行を阻止し、前記２つの通路の一方から他方に前記切換通路が移動して当該他方の通路に連結されたときに前記自走式玩具の進行阻止を解除するストッパ機構と、前記ストッパ機構によって進行が阻止された前記自走式玩具の駆動輪に当接する従動ローラと、前記従動ローラによって取り入れた前記自走式玩具の駆動輪の動力を動力源にして前記２つの通路の一方から他方に前記切換通路が到達するまで前記スライドテーブルを移動させるスライドテーブル移動機構と、を備えたことを特徴とする玩具用通路切換装置。
【請求項２】
前記スライドテーブル移動機構は、前記基台に形成されたラックと、前記スライドテーブルに設置され前記ラックに噛合する第１のピニオンとを備え、前記自走式玩具の駆動輪の動力を動力源にして前記従動ローラを介して前記第１のピニオンを回転させることによって前記スライドテーブルを移動させることを特徴とする請求項１に記載の玩具用通路切換装置。
【請求項３】
前記スライドテーブルは、前記切換通路が設置されたターンテーブルと、前記自走式玩具の駆動輪の動力を動力源にして前記従動ローラを介して当該ターンテーブルを回転させるターンテーブル回転機構とを備えたことを特徴とする請求項２に記載の玩具用通路切換装置。
【請求項４】
前記ターンテーブル回転機構は、前記スライドテーブルに形成された内歯歯車と、前記ターンテーブルに設置され前記内歯歯車に噛合する第２のピニオンとを備え、前記自走式玩具の駆動輪の動力を動力源にして前記従動ローラを介して前記第２のピニオンを回転させることによって前記ターンテーブルを回転させることを特徴とする請求項３に記載の玩具用通路切換装置。
【請求項５】
前記第１のピニオンは前記ターンテーブルの中心に固定され、前記ターンテーブルの回転に伴う前記第１のピニオンの回転によって前記スライドテーブルを移動させることを特徴とする請求項４に記載の玩具用通路切換装置。
【請求項６】
前記ストッパ機構は、前記切換通路に対して出没するストッパ片を備え、前記切換通路に突出したストッパ片により前記自走式玩具の進行を阻止し、前記ストッパ片の前記切換通路からの没入により前記自走式玩具の進行阻止を解除するように構成され、前記ターンテーブル回転機構は、前記第２のピニオンを２つ備え、この２つの前記第２のピニオンは前記自走式玩具の駆動輪の動力を動力源にして前記従動ローラを介して選択的に回転駆動されるように構成され、前記操作機構の働きによって前記ストッパ片が前記切換通路へ突出する毎に２つの前記第２のピニオンが交互に選択されて前記ターンテーブルの回転方向及び前記スライドテーブルの移動方向が切り換えられることを特徴とする請求項５に記載の玩具用通路切換装置。
【請求項７】
前記ストッパ機構は、前記ストッパ片に固定された軸を備え、この軸は、上下方向に延在し前記ストッパ片を前記切換通路に対して出没させるように上下方向に動作可能に構成されると共に、上昇状態で前記スライドテーブルが移動する際には前記基台の上面に摺接し上昇状態を保持するように構成され、前記基台には、前記切換通路が前記２つの通路の一方又は他方にあるときに前記軸を落下させるための孔がそれぞれ形成されるとともに、前記操作機構は、初期位置で前記軸が前記孔内に落下するのを許容し、当該孔内で落下状態にある当該軸の下端に摺接し当該軸を上昇させる作動片と、前記作動片が前記軸を上昇させた所で前記作動片を位置決め固定し、前記切換通路が前記２つの通路の一方から他方に移動するように前記スライドテーブルが移動する際に前記作動片を初期位置に復帰させる位置決め機構とを備えている請求項６に記載の玩具用通路切換装置。
【考案の詳細な説明】
【技術分野】
【０００１】
本考案は車両玩具の玩具用通路切換装置に関するもので、詳しくは、自走式玩具が走行する通路を切り換える玩具用通路切換装置に関するものである。
【背景技術】
【０００２】
従来、自走式車両玩具が走行する通路を切り換える玩具用通路切換装置として、通路をターンテーブルの周囲に放射状に設置するもの（例えば、特許文献１参照）や通路を分岐させたもの（例えば、特許文献２参照）等がある。
【先行技術文献】
【特許文献】
【０００３】
【特許文献１】実公昭５７−４７０３３号公報
【特許文献２】実開昭５７−５００７５号公報
【考案の概要】
【考案が解決しようとする課題】
【０００４】
上記玩具用通路切換装置はターンテーブル等によって自走式玩具がその場で向きを変えるだけで、自走式車両玩具の平面的位置を大きく変えるものではなかった。そのため、遊びのバリエーションや意外性に乏しいものとなっていた。
本考案は、平行に並ぶ通路間で自走式玩具の走行する通路を切り換えることができる玩具用通路切換装置を提供することを目的とする。
【課題を解決するための手段】
【０００５】
請求項１の玩具用通路切換装置は、平行に配置した２つの通路を有する基台と、切換通路を有し、前記切換通路を前記２つの通路間で移動させて前記２つの通路のいずれかに選択的に連結させるスライドテーブルとを備え、自走式玩具の駆動輪の動力を動力源とする玩具用通路切換装置であって、操作機構と、前記切換通路が前記２つの通路のいずれかに選択的に連結されている状態で前記操作機構の働きによって動作して前記切換通路上で前記自走式玩具の進行を阻止し、前記２つの通路の一方から他方に前記切換通路が移動して当該他方の通路に連結されたときに前記自走式玩具の進行阻止を解除するストッパ機構と、前記ストッパ機構によって進行が阻止された前記自走式玩具の駆動輪に当接する従動ローラと、前記従動ローラによって取り入れた前記自走式玩具の駆動輪の動力を動力源にして前記２つの通路の一方から他方に前記切換通路が到達するまで前記スライドテーブルを移動させるスライドテーブル移動機構と、を備えたことを特徴とする。
【０００６】
この玩具用通路切換装置における通路としては、自動車玩具等の走行道路、鉄道車両玩具等の走行レール、駐車場玩具等の敷地内通路が挙げられる。
【０００７】
請求項２の玩具用通路切換装置は、請求項１に記載の考案において、前記スライドテーブル移動機構は、前記基台に形成されたラックと、前記スライドテーブルに設置され前記ラックに噛合する第１のピニオンとを備え、前記自走式玩具の駆動輪の動力を動力源にして前記従動ローラを介して前記第１のピニオンを回転させることによって前記スライドテーブルを移動させることを特徴とする。
【０００８】
請求項３の玩具用通路切換装置は、請求項２に記載の考案において、前記スライドテーブルは、前記切換通路が設置されたターンテーブルと、前記自走式玩具の駆動輪の動力を動力源にして前記従動ローラを介して当該ターンテーブルを回転させるターンテーブル回転機構とを備えたことを特徴とする。
【０００９】
請求項４の玩具用通路切換装置は、請求項３に記載の考案において、前記ターンテーブル回転機構は、前記スライドテーブルに形成された内歯歯車と、前記ターンテーブルに設置され前記内歯歯車に噛合する第２のピニオンとを備え、前記自走式玩具の駆動輪の動力を動力源にして前記従動ローラを介して前記第２のピニオンを回転させることによって前記ターンテーブルを回転させることを特徴とする。
【００１０】
請求項５の玩具用通路切換装置は、請求項４に記載の考案において、前記第１のピニオンは前記ターンテーブルの中心に固定され、前記ターンテーブルの回転に伴う前記第１のピニオンの回転によって前記スライドテーブルを移動させることを特徴とする。
【００１１】
請求項６の玩具用通路切換装置は、請求項５に記載の考案において、前記ストッパ機構は、前記切換通路に対して出没するストッパ片を備え、前記切換通路に突出したストッパ片により前記自走式玩具の進行を阻止し、前記ストッパ片の前記切換通路からの没入により前記自走式玩具の進行阻止を解除するように構成され、前記ターンテーブル回転機構は、前記第２のピニオンを２つ備え、この２つの前記第２のピニオンは前記自走式玩具の駆動輪の動力を動力源にして前記従動ローラを介して選択的に回転駆動されるように構成され、前記操作機構の働きによって前記ストッパ片が前記切換通路へ突出する毎に２つの前記第２のピニオンが交互に選択されて前記ターンテーブルの回転方向及び前記スライドテーブルの移動方向が切り換えられることを特徴とする。
【００１２】
請求項７の玩具用通路切換装置は、請求項６に記載の考案において、前記ストッパ機構は、前記ストッパ片に固定された軸を備え、この軸は、上下方向に延在し前記ストッパ片を前記切換通路に対して出没させるように上下方向に動作可能に構成されると共に、上昇状態で前記スライドテーブルが移動する際には前記基台の上面に摺接し上昇状態を保持するように構成され、前記基台には、前記切換通路が前記２つの通路の一方又は他方にあるときに前記軸を落下させるための孔がそれぞれ形成されるとともに、前記操作機構は、初期位置で前記軸が前記孔内に落下するのを許容し、当該孔内で落下状態にある当該軸の下端に摺接し当該軸を上昇させる作動片と、前記作動片が前記軸を上昇させた所で前記作動片を位置決め固定し、前記切換通路が前記２つの通路の一方から他方に移動するように前記スライドテーブルが移動する際に前記作動片を初期位置に復帰させる位置決め機構とを備えている。
【考案の効果】
【００１３】
請求項１の考案によれば、平行して設置された通路の一方に存在する自走式玩具を他方に移動させることができる。すなわち、従来の通路を放射方向又は分岐させるのとは異なり、平行に設置された通路の一方から他方へ、また他方から一方へ自走式玩具を大きく移動させることができる。したがって、バリエーション及び意外性に富んだ玩具用通路切換装置が実現できる。なお、この場合の自走式玩具の移動はその駆動輪の動力を利用するので、電池等の動力源を必要としない。
【００１４】
請求項２の考案によれば、ラック・ピニオン機構によってスライドテーブルが移動するように構成されているので、構造が単純かつ動作が確実である。
【００１５】
請求項３の考案によれば、ターンテーブルを備えているので、自走式玩具の移動のみならず、移動中に自走式玩具の回転まで加わるので、さらに、バリエーション及び意外性に富む玩具用通路切換装置が実現できる。
【００１６】
請求項４の考案によれば、内歯歯車とピニオンとによってターンテーブルが回転するように構成されているので、構造が単純かつ動作が確実である。
【００１７】
請求項５の考案によれば、ターンテーブルの回転に伴う第１のピニオンの回転によってスライドテーブルを移動させるので、移動が安定するとともに構造が単純となる。
【００１８】
請求項６の考案によれば、ターンテーブルの回転方向を変えることによってスライドテーブルの移動方向を変え、スライドテーブルの往復動作を可能としているので、バリエーション及び意外性に富む玩具用通路切換装置が実現できると共に、スライドテーブルの移動機構が単純になる。
【００１９】
請求項７の考案によれば、切換通路が２つの通路の一方に連結された状態で、操作機構を操作するとストッパ片が切換通路に突出した状態に保持され、スライドテーブルが移動した際にストッパ片を上昇させるための作動片が初期位置に復帰し、ターンテーブルが他の通路に連結される位置でストッパ片が確実に下降することになる。したがって、操作機構を操作するだけで、自走式玩具の通路を簡単に切り換えることができる。
【図面の簡単な説明】
【００２０】
【図１】本考案に係る玩具用通路切換装置の一実施形態を示した斜視図である。
【図２】本実施形態の玩具用通路切換装置の切換態様を示した図であり、（Ａ）は切換通路が一方の通路に連結されている状態を示す平面図、（Ｂ）は移動途中の平面図、（Ｃ）は切換通路が他方の通路に連結されている状態を示す平面図である。
【図３】本実施形態の玩具用通路切換装置の分解斜視図である。
【図４】本実施形態の玩具用通路切換装置のスライドテーブルと外郭を取り除いたターンテーブルの内部機構を示した斜視図である。
【図５】本実施形態の玩具用通路切換装置の歯車列を下方から視た斜視図であり、（Ａ）は一方のクラッチ歯車が押下された状態を示す斜視図、（Ｂ）は他方のクラッチ歯車が押下された状態を示す斜視図である。
【図６】本実施形態の玩具用通路切換装置のターンテーブル回転方向切換機構を示した模式図であり、（Ａ）は一の回転方向に切り換える際の状態を示す模式図、（Ｂ）は他の回転方向に切り換える際の状態を示す模式図である。
【図７】本実施形態の玩具用通路切換装置におけるストッパ機構の作動片の一方端の操作態様を示した概念的な断面図で、（Ａ）はストッパ片が没入している状態を示す断面図、（Ｂ）はストッパ片が突出した状態を示す断面図である。
【図８】本実施形態の玩具用通路切換装置のストッパ機構の作動片の他方端の操作態様を示した概念的な断面図である。
【図９】本実施形態の玩具用通路切換装置における作動片の位置決め機構を示した概念的な断面図であり、（Ａ）は作動片を位置決めしている状態を示す断面図、（Ｂ）は作動片が初期状態に復帰した状態を示す断面図である。
【考案を実施するための形態】
【００２１】
以下、本考案に係る玩具用通路切換装置を図面に示した実施形態に基づいて説明する。
【００２２】
本実施形態の玩具用通路切換装置１では、図１に示すように、一部が不連続な２組の平行する２つの通路、すなわち、通路２（２ａ，２ｂ）と通路３（３ａ，３ｂ）が基台４に形成されている。そして、この玩具用通路切換装置１では、自走式玩具Ａ（図２等参照）を通路２から通路３へ移動させる、又は通路３から通路２へ移動させるスライドテーブル５が基台４に移動可能に設置されている。このスライドテーブル５は、当該スライドテーブル５の移動中に自走式玩具Ａを回転させるターンテーブル６を備えている。ここで、「自走式玩具」とは、自ら備えるモータやぜんまい等の動力源で駆動される車輪（駆動輪）を有し、自ら走行可能な玩具をいう。玩具としては車両玩具やロボット玩具等を挙げることができる。本実施形態では、この自走式玩具として自走式車両玩具が例示されている。
【００２３】
この玩具用通路切換装置１の動作の一例を簡単に説明すれば次の通りである。
この玩具用通路切換装置１では、通路２，３に平行に摘み６１ｃを引くと、切換通路７の上にストッパ片４２ａ、４２ｂが突出する。この状態で、自走式玩具Ａが通路２ａを走行して、図２（Ａ）に示すように、ターンテーブル６上の切換通路７に進入すると、ストッパ片４２ａによって自走式玩具Ａが停止させられ、その自走式玩具Ａは、図２（Ｂ）において矢印で示すように、スライドテーブル５によって通路３に向けて移動させられる。その際、自走式玩具Ａは、スライドテーブル５の移動中、ターンテーブル６によって上から見て時計方向に回転させられる。そして、ターンテーブル６がスライドテーブル５上で２回転半した所で、図２（Ｃ）に示すように、切換通路７が通路３に達する。このとき、自走式玩具Ａは、通路２ａからターンテーブル６に進入したときの方向とは逆の方向を向いた状態になる。それから、ストッパ片４２ａ、４２ｂが切換通路７内に没入し、自走式玩具Ａは通路３ａへ発進する。
なお、ここでは、通路２（２ａ，２ｂ），３（３ａ，３ｂ）の各々は互いに独立したループ、即ち無端の通路の一部を構成しており、通路３ａへ発進した自走式玩具Ａは通路３ｂを経て再びターンテーブル６に戻ってくる。そして、この戻ってくるまでの間に、再び通路２，３に平行に摘み６１ｃを引くと、切換通路７の上にストッパ片４２ａ、４２ｂが突出し、自走式玩具Ａがストッパ片４２ａによって停止させられ、スライドテーブル５及びターンテーブル６の動作によって、自走式玩具Ａが回転しながら通路３から通路２に移動させられ、切換通路２に至った所でストッパ片４２ａ、４２ｂが切換通路７内に没入し、自走式玩具Ａは通路２ｂへ発進する。
【００２４】
以下に、この玩具用通路切換装置１が備えるターンテーブル回転機構１０，ストッパ機構４０、スライドテーブル移動機構５０、操作機構６０等について詳述する。
【００２５】
図３に示すように、この玩具用通路切換装置１の基台４は、操作機構６０を収容した下部ケース４ａと、スライドテーブル５を摺動可能に収容する上部ケース４ｂとによって構成されている。
ここで、上部ケース４ｂに収容されるスライドテーブル５には、ターンテーブル６を収容する円形の孔が形成され、この円形の孔にはターンテーブル６がその中心線を中心に回転可能に設置されている。この場合、図示はしないが、ターンテーブル６は逆さまにした場合等にスライドテーブル５から脱落しないように取り付けられることが好ましい。
【００２６】
図４は、スライドテーブル５と、外郭を取り除いたターンテーブル６の内部機構を示している。このうち、ターンテーブル６には、自走式玩具Ａの駆動輪ａに当接してその動力を取り入れる従動ローラ１１，１２と、スライドテーブル５の円形の孔の内側面に形成した内歯歯車８に噛合する出力ピニオン１３，１４（図５参照）を含む歯車列とが収容されている。
【００２７】
この歯車列では、図５（下から見た図）に示すように、従動ローラ１１，１２の従動軸１１ａ，１２ａが互いに平行に配置されている。この従動軸１１ａの両端部にはピニオン１５ａ，１５ｂが、従動軸１２ａの両端部にはピニオン１６ａ，１６ｂがそれぞれ固定して設けられている。
また、この歯車列では、従動軸１１ａ，１２ａの端部間に動力伝達軸１７，１８が配置されている。この動力伝達軸１７，１８も互いに平行に配置されている。この動力伝達軸１７の両端部にはピニオン１９ａ，１９ｂが、動力伝達軸１８の両端部にはピニオン２０ａ，２０ｂがそれぞれ固定して設けられている。
そして、従動軸１２ａのピニオン１６ａと動力伝達軸１７のピニオン１９ｂとは、クラウン歯車２１を介して常時連係され、従動軸１２ａのピニオン１６ｂと動力伝達軸１８のピニオン２０ｂとは、クラウン歯車２２を介して常時連係されている。
また、従動軸１１ａのピニオン１５ａと動力伝達軸１７のピニオン１９ａとは、クラッチ歯車としてのクラウン歯車２３を介して連係可能となっており、従動軸１１ａのピニオン１５ｂと動力伝達軸１８のピニオン２０ａとは、クラッチ歯車としてのクラウン歯車２４を介して連係可能となっている。ここで、クラウン歯車２３には出力ピニオン１３が、クラウン歯車２４には出力ピニオン１４がそれぞれ同軸に一体結合されている。そして、クラウン歯車２３はスプリング２５によって、クラウン歯車２４はスプリング２６によってそれぞれ上方に付勢されている。
【００２８】
この歯車列によれば、図１においてスライドテーブル５が左端にあるとき、摘み６１ｃの操作によってクラウン歯車２３が押下可能となっている。そして、摘み６１ｃの操作によってクラウン歯車２３が押下されると、図５（Ａ）に示すように、クラウン歯車２３が従動軸１１ａのピニオン１５ａと動力伝達軸１７のピニオン１９ａとに同時に噛合する。このとき、自走式玩具Ａの駆動輪ａの動力は次のようにしてターンテーブル６に伝達される。
通路２ａから自走式玩具Ａが切換通路７に進入しストッパ片４２ａによって停止させられると、自走式玩具Ａの駆動輪ａによって従動ローラ１１が回転させられ、その回転力はピニオン１５ａを介してクラウン歯車２３に伝達され、それと一体な出力ピニオン１３が回転させられる。そして、この回転する出力ピニオン１３とスライドテーブル５の内側面に形成した内歯歯車８（図３参照）との噛合によってターンテーブル６が第１の方向（上方から見て時計方向）に回転させられる。
また、図１においてスライドテーブル５が左端にあるとき、通路２ｂから自走式玩具Ａが切換通路７に進入しストッパ片４２ｂによって停止させられると、自走式玩具Ａの駆動輪ａによって従動ローラ１２が回転させられ、その回転力はピニオン１６ａ、クラウン歯車２１及びピニオン１９ｂ，１９ａを介してクラウン歯車２３に伝達され、それと一体な出力ピニオン１３が回転させられる。そして、この回転する出力ピニオン１３とスライドテーブル５の内側面に形成した内歯歯車８（図３参照）との噛合によってターンテーブル６が第１の方向に回転させられる。
【００２９】
一方、この歯車列によれば、図１においてスライドテーブル５が右端にあるとき、操作機構６０によってクラウン歯車２４が押下可能となる。そして、操作機構６０によってクラウン歯車２４が押下されると、図５（Ｂ）に示すように、クラウン歯車２４が従動軸１１ａのピニオン１５ｂと動力伝達軸１８のピニオン２０ａとに同時に噛合する。このとき、自走式玩具Ａの駆動輪ａの動力は次のようにしてターンテーブル６に伝達される。なお、スライドテーブル５が一端から他端に移動する際にターンテーブル６は２回転半するので、図１においてスライドテーブル５が左端にあるときと、右端にあるときとではストッパ片４２ａ、４２ｂの位置が反対となる。
通路３ｂから自走式玩具Ａが切換通路７に進入しストッパ片４２ａによって停止させられると、自走式玩具Ａの駆動輪ａによって従動ローラ１１が回転させられ、その回転力はピニオン１５ｂを介してクラウン歯車２４に伝達され、それと一体な出力ピニオン１４が回転させられる。そして、この回転する出力ピニオン１４とスライドテーブル５の内側面に形成した内歯歯車８（図３参照）との噛合によってターンテーブル６が第２の方向（上方から見て反時計方向）に回転させられる。
また、図１においてスライドテーブル５が右端にあるとき、通路３ａから自走式玩具Ａが切換通路７に進入しストッパ片４２ｂによって停止させられると、自走式玩具Ａの駆動輪ａによって従動ローラ１２が回転させられ、その回転力はピニオン１６ｂ、クラウン歯車２２及びピニオン２０ｂ，２０ａを介してクラウン歯車２４に伝達され、それと一体な出力ピニオン１４が回転させられる。そして、この回転する出力ピニオン１４とスライドテーブル５の内側面に形成した内歯歯車８（図３参照）との噛合によってターンテーブル６が第２の方向に回転させられる。
【００３０】
また、ターンテーブル６は、図４及び図６に示すように、先端にカム２７ａを有するアーム２７と、先端にカム２８ａを有するアーム２８とを備えている。そして、アーム２７，２８は、ターンテーブル６の中心にある円板状プレート２９によって互いに連結されている。この円板状プレート２９は上下方向の移動が規制されている。そして、円板状プレート２９は、ターンテーブル６の中心に設けた軸４１に対して所定角度の範囲（アーム２７，２８のカム２７ａ，２８ａがクラッチ歯車２３，２４の上面に対して出退できる範囲）で回転可能に支持されている。また、円板状プレート２９はアーム２７側にその周辺まで伸びるレバー３０を有しており、このレバー３０は後述する操作機構６０の摘み６１ｃの操作によって動作する。このレバー３０はターンテーブルの回転方向切換機構を構成する。
【００３１】
そして、図１においてスライドテーブル５が左端にあるときに、摘み６１ｃの操作によってレバー３０が矢印方向（図６（Ａ）において上方）に押されると、アーム２７，２８が矢印方向（図６（Ａ）において時計方向）に回転し、アーム２７のカム２７ａがクラッチ歯車２３上に乗り上げ、当該クラッチ歯車２３をスプリング２５の付勢力に抗して押下し、一方、アーム２８のカム２８ａはクラウン歯車２４から離反する。
一方、図１においてスライドテーブル５が右端にあるときに、摘み６１ｃの操作によってレバー３０が矢印方向（図６（Ｂ）において上方）に押されると、アーム２７，２８が矢印方向（図６（Ｂ）において反時計方向）に回転し、アーム２８のカム２８ａがクラウン歯車２４上に乗り上げ、当該クラッチ歯車２４をスプリング２６の付勢力に抗して押下し、一方、アーム２７のカム２７ａはクラウン歯車２３から離反する。
【００３２】
さらに、ターンテーブル６は、自走式玩具Ａをターンテーブル６上に停止させるストッパ機構４０を備えている。このストッパ機構４０は、図７（Ａ），（Ｂ）及び図８に示されている。なお、これらの図は説明の便宜のためのものであり、各図においては、構造を理解しやすくするために、基台４の上部ケース４ｂから下の部分は平面的な角度をそれより上の部分に対して９０度変えて示してある。
このストッパ機構４０は、図７及び図８に示すように、軸４１に固定されたストッパ片４２ａ，４２ｂを備えている。軸４１はターンテーブル６の底板６ａ及び円板状プレート２９に対して上下動自在となっており、ストッパ片４２ａ，４２ｂ及び軸４１は、上板６ｂとの間に配設されたスプリング４３によって下方に付勢されている。一方、上板６ｂには、ストッパ片４２，４２ｂの形状に対応した形状の孔４４ａ，４４ｂが形成されている。
【００３３】
このストッパ機構４０は、図７（Ａ）及び図８に示すように、通常は、ストッパ片４２ａ，４２ｂ及び軸４１をスプリング４３によって下方に付勢し、ストッパ片４２ａ，４２ｂの上端を、ターンテーブル６の上板６ｂに形成した孔４４ａ，４４ｂから没しさせている。一方、摘み６１ｃの操作によって軸４１が押し上げられると、図７（Ｂ）に示すように、ストッパ片４２ａ，４２ｂを孔４４ａ，４４ｂから上方へ突出させる。
そして、ストッパ片４２ａ，４２ｂが孔４４ａ，４４ｂから上方へ突出した状態で、自走式玩具Ａがターンテーブル６の切換通路７に一方から進入すると、図７（Ｂ）に示すように、自走式玩具Ａの車体下面に形成した壁ｂがストッパ片４２ａに当たり、自走式玩具Ａがその場所に停止させられる。このとき、自走式玩具Ａの駆動輪ａは従動ローラ１１の上に乗る。なお、自走式玩具Ａがターンテーブル６の切換通路７に他方から進入すると、自走式玩具Ａの車体下面に形成した壁ｂがストッパ片４２ｂに当たり、自走式玩具Ａがその場所に停止させられる。このとき、自走式玩具Ａの駆動輪ａは従動ローラ１２の上に乗る。
【００３４】
また、スライドテーブル移動機構５０は、図３に示すように、基台４に形成したラック５１と、このラック５１に噛合するピニオン５２とを備えている。このうち、ピニオン５２はターンテーブル６の底面６ｂの中心に固定されている。このピニオン５２の中心には孔５３が形成されており、この孔５３には、図７に示すように、軸４１が挿通されている。
【００３５】
このスライドテーブル移動機構５０によれば、ターンテーブル６が回転すると、それに伴ってピニオン５２が回転し、この回転するピニオン５２と基台４のラック５１との噛合によって、ピニオン５２の回転方向に応じた方向にスライドテーブル５が移動することになる。
【００３６】
操作機構６０は、図３に示すように、基台４の下部ケース４ａの幅方向中央に、自走式玩具Ａの走行通路７に平行に移動する操作片６１を備えている。この操作片６１には、先端に下方に延びるピン（カムフォロア）６１ａが突設され、中間に上方に延びるピン６１ｂが突設され、基端に上方に向けて摘み６１ｃが突設されている。そして、この操作片６１は、スプリング６２によって先端方向に付勢されている。
【００３７】
さらに、操作機構６０は、基台４の下部ケース４ａに、互いに平行する通路２，３に対して直交する方向に移動する作動片６３を備えている。この作動片６３には、中間部にカム６３ａが形成されている。このカム６３ａは三角形の孔を画成する斜壁によって形成されている。また、この作動片６３は、立設されたリブ６３ｂを有しており、リブ６３ｂの両端部には、上方に突出する突部６３ｃ，６３ｄを有している。そして、突部６３ｃ，６３ｄには、斜面６３ｆ，６３ｇが形成されている。
【００３８】
また、作動片６３には、図３及び図９に示すように、位置決めレバー６４の一端が回動可能に支持されている。この位置決めレバー６４は先端に凸部６４ａを備えている。
【００３９】
そして、この位置決めレバー６４と基台４の上部ケース４ｂとの間にはスプリング６５が介装されている。このスプリング６５は、作動片６３を一方（図３における左方）に付勢するとともに、位置決めレバー６４の凸部６４ａを上方に付勢している。
【００４０】
また、操作機構６０は、操作片６１によって作動されるリンク機構６６，６７を備えている。これらのリンク機構は、回動リンク６６ａ，６７ａ及び直動リンク６６ｂ，６７ｂから成り、直動リンク６６ｂ，６７ｂの自由端に突起６６ｃ，６７ｃを備えている。そして、直動リンク６６ｂ，６７ｂはスプリング６６ｄ、６７ｄによって図３の手前側に付勢されている。
【００４１】
なお、基台４の上部ケース４ｂには、図３に示すように、孔７０ａ，７０ｂ、７１，７２，７３、７４ａ、７４ｂが形成されている。そして、孔７０ａ，７０ｂには、ストッパ機構４０の軸４１及び作動片の突部６３ｃ，６３ｄが収容される。孔７０ａ，７０ｂによるストッパ機構４０の軸４１の収容は、スライドテーブル５が図１における左端及び右端にあるときになされる。また、孔７１には、位置決めレバー６４の凸部６４ａが出没自在に収容される。また、孔７２には、操作片６１のピン６１ｂが収容され、孔７３には、操作片６１の摘み６１ｃが収容される。さらに、孔７４ａ、７４ｂには、リンク６６ｂ，６７ｂの突起６６ｃ，６７ｃが収容される。
【００４２】
この操作機構６０によれば、図１においてスライドテーブル５が左端又は右端にあるときに、操作片６１をスプリング６２の付勢力に抗して手前に引くと、ピン６１ａがカム６３ａをなぞり、作動片６３が図３における右方に移動させられる。すると、図７（Ｂ）又は図８に示すように、突部６３ｃ又は６３ｄの斜面６３ｆ又は６３ｇによって軸４１が押し上げられ、それによってストッパ片４２ａ，４２ｂがターンテーブル６の上板６ｂから上方に突出させられる。同時に、図９（Ａ）に示すように、位置決めレバー６４の凸部６４ａが孔７１に入り込む。これによって、作動片６３は作動状態（右方に移動された状態）にロックされる。これは、作動片６３がロックされずに復帰してしまうと、ストッパ片４２ａ，４２ｂが図７（Ａ）に示すように、ターンテーブル６の上板６ｂの孔４４ａ，４４ｂ内に没してしまい、切換通路７に進入する自走式玩具Ａの進行を阻止することができないからである。なお、孔７１に入り込んだ位置決めレバー６４の凸部６４ａは、スライドテーブル５が移動し始めた際にスライドテーブル５によって押下されることによって、孔７１から離脱する。これによって、作動片６３はスプリング６５の付勢力によって初期位置に復帰する。このように作動片６３を初期位置に復帰させることとしたのは、スライドテーブル５が一端から他端に移動した際に、孔７０ａ，７０ｂによってストッパ機構４０の軸４１を収容することで軸４１を落下させて、ストッパ片４２ａ、４２ｂを没入させるためである。なお、スライドテーブル５の移動中に作動片６３が初期位置に復帰しても、軸４１は基台４の上部ケース４ｂの上面を摺動するため、ストッパ片４２ａ，４２ｂの突出状態は維持される。
【００４３】
また、図１においてスライドテーブル５が左端又は右端にあるときに、リンク６６，６７が作動されると、突起６６ｃ又は６７ｃによってアーム２７，２８が回転し、そのカム２７ａ又は２８ａによってターンテーブル回転機構１０のクラッチ歯車２３又は２４が押下される。このように構成することで、スライドテーブル５の往復動が可能となる。
【００４４】
最後に、ピン６１ｂの働きを説明すれば、このピン６１ｂは摘み６１ｃを操作しない限り、スライドテーブル５の下側に潜り込むことで当該スライドテーブル５の移動を妨げない状態にあり、摘み６１ｃを操作し直動リンク６６ｂ，６７ｂの突起６６ｃ，６７ｃでレバー３０を動作させる際にスライドテーブル５が動いてしまうことを防止するためのものである。
【００４５】
以上、本考案の実施形態について説明したが、本考案は、かかる実施形態に限定されるものではなく、その要旨を逸脱しない範囲で種々の変更が可能である。
【００４６】
例えば、スライドテーブル５が一端から他端に移動する際にターンテーブル６を２回転半させるようにしたが、整数回だけ回転させるようにしてもよい。この場合には、レバー３０をアーム２７側だけでなく、アーム２８側にも設けることが必要となる。このようにすれば、自走式玩具Ａの発進方向を変えることができる。
【００４７】
また、スライドテーブル５の移動をラック・ピニオン機構によって行うようにしたが、ローラを基台４に対して転動させることによってスライドテーブル５を移動させるようにしてもよいし、クランク機構を設けてスライドテーブル５を移動させるようにしてもよい。
【００４８】
さらに、ターンテーブル６の回転をピニオン２３,２４と内歯歯車８とによって行うようにしたが、ローラをスライドテーブル５に対して転動させることによってターンテーブル５を回転させるようにしてもよい。
【００４９】
また、摘み６１ｃを引くことによって直動リンク６６ｂ，６７ｂを動作させレバー３０を動かし、アーム２７又は２８を回転させてターンテーブル５の回転方向を切り換えるようにしたが、基台４の両端に、レバー３０の突き当たった際にその反動によって当該レバー３０を動作させる突当て部を固定して設けておいてもよい。このようにすれば、自動的にターンテーブル５の回転方向を切り換えることができる。
【００５０】
また、ストッパ片４２ａ，４２ｂを上下動させる操作機構６０も、上記のものに限定されない。例えば、モータやソレノイドを使用してストッパ片４２ａ，４２ｂを動作させる操作機構としてもよく、さらには、自走式玩具のＡの自重を利用してストッパ片４２ａ，４２ｂの直前で自走式玩具Ａが踏み台を踏んだ際にストッパ片４２ａ，４２ｂを上昇させてその上昇状態を保持し、その後、自走式玩具Ａの駆動輪ａが従動ローラ１１又は１２を所定回転させた際にストッパ片４２ａ，４２ｂの上昇状態を解除させるタイマー機構を含む操作機構としてもよい。
【符号の説明】
【００５１】
１    玩具用通路切換装置  
２，２ａ，２ｂ    通路
３，３ａ，３ｂ    通路
４    基台
５    スライドテーブル
６    ターンテーブル
７    切換通路
８    内歯歯車
１０    ターンテーブル回転機構
１１，１２    従動ローラ
１１ａ，１２ａ    従動軸
２１，２２    クラウン歯車（クラッチ歯車）
４０    ストッパ機構
４２ａ，４２ｂ    ストッパ片
５０    スライドテーブル移動機構
５１    ラック
５２    ピニオン
６０    操作機構
６３    作動片
６４    位置決めレバー
【図１】
0003184412.tif 000003
【図２】
0003184412.tif 000004
【図３】
0003184412.tif 000005
【図４】
0003184412.tif 000006
【図５】
0003184412.tif 000007
【図６】
0003184412.tif 000008
【図７】
0003184412.tif 000009
【図８】
0003184412.tif 000010
【図９】
0003184412.tif 000011